(57)【要約】【課題】メモリに記録されている複数の動画ファイルをスムーズに連続して再生する画像再生装置を提供する。【解決手段】複数の動画ファイルを記憶する画像記憶部１０１と、画像記憶部１０１で記憶された動画ファイルの一部を再圧縮した後に復号する画像処理部１０２と、画像処理部１０２にて復号された画像を表示する表示部１０３とを備え、画像処理部１０２において、後から再生される動画ファイルの先頭から一定期間のフレームのビットレートを低減することにより、動画ファイルの解析処理期間の処理負荷を低減可能とする。【選択図】図１
2018056871.tif 000002
【特許請求の範囲】
【請求項１】
複数の動画ファイルを任意のシナリオ情報に基づいて連続して再生する画像再生装置であって、
前記複数の動画ファイルを記憶する画像記憶部と、前記画像記憶部で記憶された動画ファイルを再圧縮した後に復号する画像処理部と、前記画像処理部にて復号された画像を表示する表示部と、前記画像記憶部と前記画像処理部を制御する制御部とを備える、画像再生装置。
【請求項２】
前記制御部は、前記表示部で任意の画像が表示されている期間中に、前記シナリオ情報に基づいて、次に再生されるべき画像情報を解析するように前記画像処理部を制御する、請求項１記載の画像再生装置。
【請求項３】
前記制御部は、前記シナリオ情報に基づいて、前記画像処理部に対し、前記画像記憶部に記憶された所定の動画ファイルの先頭から一定期間或いは終了前の一定期間におけるフレームのビットレートを低下させるように再圧縮するように制御する、請求項１または２記載の画像再生装置。
【請求項４】
前記制御部は、前記シナリオ情報に基づいて、前記画像処理部に対し、再圧縮の可否を制御する、請求項１から請求項３のいずれかに記載の画像再生装置。
【請求項５】
前記制御部は、前記画像処理部で再圧縮された動画ファイルを前記画像記憶部に記憶するように制御する、請求項１から請求項４のいずれかに記載の画像再生装置。
【請求項６】
複数の動画ファイルを任意のシナリオ情報に基づいて連続して再生する画像再生装置と任意のネットワーク網で接続された画像生成サーバとから構成される画像再生システムであって、
前記画像生成サーバは、前記複数の動画ファイルを記憶する画像記憶部と、前記画像記憶部において任意の期間を再圧縮する画像処理部と、前記画像処理部で再圧縮された動画ファイルを前記画像再生装置に送信する通信部と、前記画像記憶部と前記画像処理部と前記通信部を制御する制御部とを備え、
前記画像再生装置は、前記画像生成サーバから送信された動画ファイルを受信する通信部と、前記通信部で受信した動画ファイルを記憶する画像記憶部と、前記画像記憶部で記憶された動画ファイルを復号する画像処理部と、前記画像処理部にて復号された画像を表示する表示部と、前記通信部と前記画像記憶部と前記画像処理部を制御する制御部とを備える、画像再生システム。
【発明の詳細な説明】
【技術分野】
【０００１】
本開示は、複数の動画ファイルを任意のシナリオ情報に基づいて連続して再生する画像再生装置、及び画像再生システムに関する。
【背景技術】
【０００２】
特許文献１は、メモリに記録されている複数の動画ファイルを連続して再生する場合において、スムーズに再生することができる画像再生装置を開示する。この画像再生装置は、再生手段による動画ファイルの再生処理の実行中に、次に再生されるべき動画ファイルに対する解析処理および読み出し処理を開始するように解析処理手段および読み出し手段を制御する。これにより、メモリに記録されている複数の動画ファイルを連続して再生する場合に、よりスムーズに再生することができる。
【先行技術文献】
【特許文献】
【０００３】
【特許文献１】特開２０１０−１８３３７０号公報
【発明の概要】
【発明が解決しようとする課題】
【０００４】
特許文献１によると、メモリに記録されている複数の動画ファイルを連続して再生するために、再生手段による動画ファイルの再生処理の実行中に、次に再生されるべき画像データに対応する動画ファイルに対する解析処理および読み出し処理を実施する。この期間、画像再生装置は、現在再生すべき動画ファイルの再生処理負荷に加え、次に再生されるべき動画ファイルの解析処理負荷が加わることになる。一般的に、動画ファイルの解析処理は、該当動画ファイルをオープンし先頭部分を一定期間復号せねばならず、実質動画ファイルを再生するに等しい負荷が加わる。即ち、処理能力が低い画像再生装置において、このような解析処理が加わる事により、画像再生装置全体の処理能力不足により、現在再生している動画ファイルの再生処理が十分に行えず、一時的に画像が止まる或いは画像が破綻するといった現象が生じる。
【０００５】
本開示は、処理能力が低い画像再生装置においても、メモリに記録されている複数の動画ファイルをスムーズに連続して再生する画像再生装置を提供する。
【課題を解決するための手段】
【０００６】
本開示における画像再生装置は、複数の動画ファイルを任意のシナリオ情報に基づいて連続して再生する画像再生装置であって、前記複数の動画ファイルを記憶する画像記憶部と、前記画像記憶部で記憶された動画ファイルを再圧縮した後に復号する画像処理部と、前記画像処理部にて復号された画像を表示する表示部と、前記画像記憶部と前記画像処理部を制御する制御部とを備える。
【発明の効果】
【０００７】
本開示における画像再生装置は、処理能力が低い画像再生装置においても、メモリに記録されている複数の動画ファイルをスムーズに連続して再生することができる。
【図面の簡単な説明】
【０００８】
【図１】実施の形態１における画像再生装置の構成を示すブロック図
【図２】実施の形態１における画像再生装置の動作を説明するためのフローチャート
【図３】実施の形態１における画像再生装置の動作を説明するためのタイムチャート
【図４】実施の形態１における画像再生装置の映像処理部の処理負荷を説明するためのタイムチャート
【図５】実施の形態１における画像再生装置の変形例の動作を説明するためのフローチャート
【図６】実施の形態２における画像再生装置の動作を説明するためのフローチャート
【図７】実施の形態３における画像再生システムの構成を示すブロック図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態１）
以下、図１〜４を用いて、実施の形態１を説明する。
【００１２】
［１−１．構成］
図１は、実施の形態１にかかる画像再生装置の構成を示すブロック図である。
【００１３】
画像再生装置は、ＳＤカードやＵＳＢメモリやフラッシュメモリ素子に代表される任意の画像を記憶する画像記憶部１０１と、画像記憶部１０１で記憶された任意のファイルフォーマットで圧縮された動画ファイルを復号する画像処理部１０２と、画像処理部１０２で復号された画像を表示する表示部１０３と、これら画像記憶部１０１、画像処理部１０２、表示部１０３を制御する制御部１０４から構成される。制御部１０４は、例えばマイクロコンピュータから構成される。
【００１４】
［１−２．動作］
以上のように構成された画像再生装置について、その動作を以下説明する。
【００１５】
図２は、実施の形態１における画像再生装置の動作を説明するためのフローチャートである。
【００１６】
まず、画像再生装置は、どのコンテンツをどの順番で表示するかを記載したシナリオ情報を制御部１０４にて解析を行う（ステップＳ１）。このシナリオ情報は、通常、画像記憶部１０１に格納されているが、これに限定はされない。ステップＳ１において、制御部１０４は、動画ファイルが連続して再生されるケースの可否を判断する（ステップＳ２）。ステップＳ２において、連続して動画ファイルが再生されるケースを検出した場合、制御部１０４は、画像処理部１０２に対し、該当する連続して再生される動画ファイルの先頭から一定期間までのフレームのビットレートを抑制した再圧縮ファイルを生成し、その生成された再圧縮動画ファイルを再度、画像記憶部１０１に記憶するように制御する（ステップＳ３）。
【００１７】
ここで、動画ファイルは、一般的には、ＭＰＥＧ形式に代表される画像圧縮フォーマットにより圧縮されたファイルの形式で画像記憶部１０１に記憶される。画像圧縮率はビットレートに依存し、ビットレートが高いほど高画質であるがファイル容量が大きくなり、画像記憶部１０１の記憶容量を占有する。また、ビットレートが高いほど、記述される情報量が大きくなるため、動画ファイルを復号する際の復号処理負荷が大きくなるという傾向がある。
【００１８】
ステップＳ３の動作について、図３を用いて説明する。図３は、シナリオ情報より、動画Ａが時刻Ｔ２まで再生され、この次に動画Ｂが時刻Ｔ２から再生する例を示す。このように、時刻Ｔ２を境に連続して動画ファイルをスムーズに再生させる場合、制御部１０４は、動画Ｂに対する解析処理を再生開始時刻Ｔ２の前となる時刻Ｔ１から実施する。これは、動画ファイルの解析処理には一定時間が必要となるため、時刻Ｔ２から解析処理を実施すると、この解析処理の間、動画Ｂを再生することができず、スムーズに動画を連続再生できなくなる事を回避するためである。
【００１９】
一般的に、動画ファイルの解析処理は、該当動画ファイルの先頭から一定期間のフレームを復号処理して実施される。このような動画ファイルの解析処理により、制御部１０４は、動画Ｂの圧縮フォーマットやビットレートや解像度などの情報を得る事ができ、画像処理部１０２に対し、動画Ｂの再生に関する復号方式や拡大縮小率などを最適に制御できる。
【００２０】
しかしながら、動画Ｂの解析処理を実施する時刻Ｔ１から時刻Ｔ２までの期間、画像処理部１０２は、一時的に動画Ａ及び動画Ｂを同時に復号せねばならないため、画像処理部１０２の処理負荷が急激に上昇する。この時、画像処理部１０２の処理能力が不足した場合、正常に動画Ａの復号が行えなくなり、現在表示している動画Ａの表示画像が止まる或いは破綻するといった現象が生じる。
【００２１】
そこで、本実施の形態１では、動画Ｂの解析処理期間で生じる画像処理部１０２の処理負荷を抑制するため、動画Ｂに対し、解析処理期間に相当する先頭から一定期間のフレームのビットレートを予め画像処理部１０２で低減するように再圧縮を行う。ビットレートを低減する事により、復号処理にかかる負荷も低減されるため、動画Ｂの解析処理期間に生じる処理能力不足に起因した動画Ａの再生課題を解決できる。
【００２２】
ステップＳ３で示した再圧縮処理に要する時間は動画ファイルの長さや設定されるビットレートなどに依存するが、数分から数十分要する事が多いため、ステップＳ１からステップＳ３の処理は、実際にシナリオ情報に従って動画ファイルを表示する時では無く、事前の準備段階で行う事が望ましい。ステップＳ３で再圧縮した動画Ｂを再度、画像記憶部１０１に記憶する事により、実際にシナリオ情報に従って動画Ａから動画Ｂを連続再生する場合においても、動画Ｂの先頭部分のビットレートを低減したことにより、時刻Ｔ１から時刻Ｔ２の期間での画像処理負荷の上昇を抑制することができ、結果として、スムーズに動画Ａから動画Ｂを連続再生できる。
【００２３】
ここで、動画Ｂの先頭部分に対し設定されるビットレートの決定方法であるが、一律で予め設定されたビットレートにしてもよいし、動画Ａの解像度やビットレートやフレームレートといった仕様に対し、数段階にビットレートを設定しても良い。例えば、
動画Ａの解像度１９２０×１０８０  →  動画Ｂのビットレート＝１０Ｍｂｐｓ
動画Ａの解像度１２８０×７２０    →  動画Ｂのビットレート＝１５Ｍｂｐｓ
動画Ａの解像度６４０×４８０      →  動画Ｂのビットレート＝２０Ｍｂｐｓ
上述の例は、動画Ａの解像度に注目した例であるが、これにフレームレートや解像度といったパラメータを組み合わせてもよい。また、動画Ｂの仕様のみに注目し、
動画Ｂの解像度１９２０×１０８０  →  動画Ｂのビットレート＝１０Ｍｂｐｓ
動画Ｂの解像度１２８０×７２０    →  動画Ｂのビットレート＝１５Ｍｂｐｓ
動画Ｂの解像度６４０×４８０      →  動画Ｂのビットレート＝２０Ｍｂｐｓ
としても、同等の効果を得る。
【００２４】
なお、ビットレートを低減する行為は画質を劣化させる行為と等しいため、その期間、動画Ｂの画質が劣化するという新たな懸念が生じる。動画Ｂのビットレートを低減させる期間は、動画Ｂの解析処理期間に相当するため、例えば、その期間を図４の時刻Ｔ２から時刻Ｔ３までとする。解析処理期間となる時刻Ｔ１から時刻Ｔ２の期間に対し、時刻Ｔ２から時刻Ｔ３までの期間の方が通常短く、且つ、解析処理期間は数秒以内に収まるため、この時刻Ｔ２から時刻Ｔ３の期間は１秒程度であり、画質劣化は検知しがたく、実使用上、支障ない。この時刻Ｔ３の決定方法は、動画ファイルの開始時刻から１秒や３秒といった固定値としてもよいし、実際に時刻Ｔ１から時刻Ｔ２までの時間或いは解析処理に際して復号したフレーム番号を計測し、その期間としてもよい。また、シーンチェンジの目印となるチャプターの境界を設定してもよい。
【００２５】
図３のタイミングチャートを画像処理部１０２の処理負荷の観点で示したタイミングチャートを図４に示す。図４において、時刻Ｔ１、Ｔ２、Ｔ３は、図３に示した同一記号の時刻に相当する。実線２０１で示したグラフが、従来の画像再生装置における処理負荷の例である。動画Ｂの解析処理期間に相当する時刻Ｔ１から時刻Ｔ２までの期間で処理負荷が限界値の１００％に達すると、動画Ａの復号処理が十分に行えず、結果として、動画Ａの再生が止まったり、映像が破綻したりといった現象が生じる。このように、時刻Ｔ１から時刻Ｔ２の間で処理負荷が上昇するのは、前述のように、動画Ａの復号処理に加え動画Ｂの復号処理が加わるためである。尚、図４において、動画Ａを通常再生している時刻Ｔ１までの処理負荷と、動画Ｂを通常再生している時刻Ｔ２以降の処理負荷が異なるのは、再生する動画ファイルの仕様により処理負荷が異なる例を示したものであり、本実施の形態の説明においては、特段の意味合いは無い。
【００２６】
一方、図４において、破線２０２で示したグラフが、本実施の形態１で開示した画像再生装置の処理負荷の例である。動画Ｂに対する解析処理を実施している時刻Ｔ１から時刻Ｔ２までの期間、動画Ｂのビットレートを低減することにより、処理負荷の上昇を抑えられ、結果として、動画Ａに対する所望の復号処理が行える。尚、破線２０２のグラフにおいて、時刻Ｔ２から時刻Ｔ３の期間、処理負荷が大きく下がっている理由は、動画Ｂのビットレートが下がっている事に起因する。これは、画像処理部１０２の処理能力が動画ファイルのビットレートに依存していることに起因する。
【００２７】
［変形例］
図５は、実施の形態１における画像再生装置の変形例の動作を示したフローチャートである。尚、図２のフローチャートで用いた同じ処理ステップについては、同一符号を付して、その説明は省略する。
【００２８】
ステップＳ２において、連続して動画ファイルが再生されるケースがあると検出した場合、制御部１０４は、画像処理部１０２に対し、先に再生される動画ファイルの終了時刻から一定期間前までのフレームのビットレートを低減して再圧縮するように制御する（ステップＳ４）。すなわち、図３を用いて説明すると、動画ファイルＡの終了時刻Ｔ２から一定期間前の時点Ｔ１までのフレームのビットレートを低減して再圧縮するように制御する。前述のように、スムーズに連続して動画ファイルを再生させる場合、次に再生される動画ファイルの解析処理が事前に必要となるが、画像再生装置の処理能力が低い場合、この期間の処理負荷を低減させねばならない。この解析処理期間における画像再生装置の処理負荷は、先に再生される動画ファイルの復号処理負荷と次に再生される動画ファイルの復号処理負荷の加算となる。即ち、この処理負荷を低減させるには、図２のステップＳ３に示すように後から再生される動画ファイルの復号処理負荷を低減させても良いし、図５のステップＳ４に示すように先に再生される動画ファイルの復号処理負荷を低減させても良い。
【００２９】
本実施の形態１において、画像再生装置の処理負荷を低減する方法として、ビットレートを低減する方法を示したが、解析処理期間に相当する期間のフレームレートを低減しても同一の効果が得られる。動画ファイルのフレームレートを一部だけ可変する技術は、ＶＦＲ（Ｖａｒｉａｂｌｅ  Ｆｒａｍｅ  Ｒａｔｅ）方式が一般的に知られている。
【００３０】
［１−３．効果等］
以上のように、本実施の形態１において、画像再生装置の処理能力が低い場合においても、動画ファイルの解析処理にかかる期間の処理負荷を変更する事により、メモリに記録されている複数の動画ファイルをスムーズに違和感無く連続して再生することができる。
【００３１】
（実施の形態２）
以下、図６を用いて、実施の形態２を説明する。
【００３２】
［２−１．構成］
構成自体は、実施の形態１で示した図１の構成と同一であるため、その説明は省略する。
【００３３】
［２−２．動作］
図６は、実施の形態２における画像再生装置の動作を説明するためのフローチャートである。図６のフローチャートにおいて、実施の形態１と同じ処理ステップについては、同一符号を付して、その説明は省略する。
【００３４】
ステップＳ２において、連続して動画ファイルが再生されるケースがあると検出した場合、制御部１０４は、当該動画ファイルの仕様を解析可能な画像処理部１０２から入手し、連続して動画ファイルを再生する際に、画像処理部１０２の処理負荷が規定値を超えるか否かを判断する（ステップＳ５）。この規定値は、該当する動画ファイルを実際に同時再生して処理負荷を計測しても良いが、動画ファイルの解像度やビットレートやフレームレートなどをパラメータとして予め規定しても良い。例えば、先に再生される動画の仕様が、動画Ａの解像度１９２０×１０８０でフレームレートが６０ｆｐｓ（ｆｒａｍｅ  ｐｅｒ  ｓｅｃ）とした場合、次に再生される動画の仕様に対し、
解像度１９２０×１０８０でフレームレートが６０ｆｐｓ  →  再圧縮必要
解像度１９２０×１０８０でフレームレートが３０ｆｐｓ  →  再圧縮不要
解像度１２８０×７２０でフレームレートが６０ｆｐｓ  →  再圧縮不要
上述のように判断テーブルを設けることができる。この判断テーブルは、画像再生装置の処理負荷が、動画ファイルのビットレートや解像度やフレームレートといったパラメータに依存することより導き出される。
【００３５】
このような判断テーブルにより、画像再生装置の処理負荷が規定値を超えず、所望の画像処理が行える条件下では、ステップＳ３のように動画ファイルのビットレートを低減する必要が無い。つまり、このステップＳ５を設けることにより、実施の形態１で示したような画質の変更処理を必要最低限のケースに抑えられる。
【００３６】
［２−３．効果等］
以上のように、本実施の形態２において、連続して再生される前後の動画ファイルの仕様より、後から再生される動画ファイルの解析処理期間における処理負荷が規定値を超えるか否かの判断ステップを設けることにより、画像再生装置の処理能力が低い場合においても、メモリに記録されている複数の動画ファイルをスムーズに違和感無く連続して再生すると共に画質の変更処理を必要最低限のケースに抑えられる。
【００３７】
（実施の形態３）
以下、図７を用いて、実施の形態３を説明する。
【００３８】
［３−１．構成］
図７は、実施の形態３における画像再生装置で構成される画像再生システムを示したブロック図である。尚、図１のブロック図で用いたブロックについては同一の符号を用い、説明を省略する。
【００３９】
図７において、画像生成サーバ３００は、ネットワーク接続された画像再生装置１００に対し任意の動画ファイルや静止画ファイルといったコンテンツを送信する。
【００４０】
画像生成サーバ３００は、ハードディスクに代表される任意の動画ファイルや静止画ファイルといったコンテンツを記憶する画像記憶部３０１と、画像記憶部３０１に記憶された任意のファイルフォーマットで圧縮された動画ファイルを再度圧縮可能とする画像処理部３０２と、画像処理部３０２で再度圧縮された動画ファイルをネットワーク網を介して画像再生装置１００に送信する通信部３０３と、これら画像記憶部３０１と、画像処理部３０２と通信部３０３を制御する制御部３０４から構成される。
【００４１】
画像再生装置１００は、画像生成サーバ３００からネットワーク網を介して送信された動画ファイルを受信する通信部１０５と、通信部１０５で受信した動画ファイルを記憶する画像記憶部１０１と、画像記憶部１０１で記憶された動画ファイルを復号する画像処理部１０２と、画像処理部１０２で復号された動画像を表示する表示部１０３と、これら通信部１０５、画像記憶部１０１、画像処理部１０２、表示部１０３を制御する制御部１０４から構成される。
【００４２】
［３−２．動作］
以上のように構成された画像再生システムについて、その動作を以下説明する。
【００４３】
まず、画像生成サーバ３００において、どのコンテンツをどの順番で表示するか記載されたシナリオ情報を制御部３０４にて解析を行う。尚、シナリオ情報は、通常、画像記憶部３０１に格納されているが、これに限定されない。制御部３０４は、動画ファイルが連続して再生されるケースの有無を検出し、連続して動画ファイルが再生されるケースがあると検出した場合、画像処理部３０２に対し、任意の動画ファイルの次に連続して再生される動画ファイルの先頭から一定期間のフレームのビットレートを低減して再圧縮するように制御する。なお、シナリオ情報より、連続して動画ファイルが再生されるケースが無い或いは再生される動画ファイルの前に再生されるコンテンツが動画ファイルでは無いケースでは、画像処理部３０２は画像記憶部３０１に記憶された動画ファイルに対し、再圧縮処理を行わない。
【００４４】
このような動作を行う画像処理部３０２での処理を通過して、通信部３０３を介して画像生成サーバ３００から画像再生装置１００に対し、シナリオ情報に記載された動画ファイルや静止画ファイルといったコンテンツが送信される。この時、画像記憶部３０１に記憶されたシナリオ情報も同時に送信されるのが一般的である。
【００４５】
このように、画像生成サーバ３００から送信された各コンテンツやシナリオ情報を、通信部１０５を介して受信した画像再生装置１００は、これらの各種データを画像記憶部１０１に記憶する。画像生成サーバ３００において、予め、画像処理部１０２での処理負荷が規定値を超えないように動画ファイルを最適化しているため、画像再生装置１００でこれらの動画ファイルをシナリオ情報に従って連続して再生しても画像処理部１０２の処理能力が不足することは無い。このように画像処理部１０２で復号された動画像は表示部１０３に送信され、表示される。
【００４６】
本実施の形態３によれば、所定の動画ファイルを画像再生装置１００側ではなく、画像生成サーバ３００側で実施することにより、短時間で動画ファイルを再圧縮できる。これは、一般的に、組込マイコンを搭載している画像再生装置１００よりも、サーバ機器に搭載されているマイコンの処理能力が大幅に勝っていることによる。
【００４７】
また、画像生成サーバ３００から送信されたシナリオ情報を画像再生装置１００側で更新した場合、その更新されたシナリオ情報を通信部１０５を介して画像生成サーバ３００に送信する事により、その更新されたシナリオ情報を画像生成サーバ３００側で新たに解析し、再度連続して動画ファイルが再生されるケースの有無を検出し、必要に応じて所望の動画ファイルを最適化し、再度、その最適化された動画ファイルを画像生成サーバ３００から画像再生装置１００に送信することにより、画像再生装置１００から更新されたシナリオ情報に従った最適な画像再生結果を常に得られる。
【００４８】
尚、図７では、画像生成サーバ３００と画像再生装置１００との間はネットワーク網を利用して所望のコンテンツやシナリオ情報を通信した例を示したが、ＳＤカードやＵＳＢメモリに代表される移動可能な記憶媒体を介しても同様の効果を得る。
【００４９】
［３−３．効果等］
以上のように、本実施の形態３において、連続して再生される前後の動画ファイルの仕様より、後から再生される動画ファイルの解析処理期間における処理負荷が規定値を超えるか否かの判断ステップを画像生成サーバ側に設けることにより、画像再生装置の処理能力が低い場合においても、メモリに記録されている複数の動画ファイルをスムーズに違和感無く連続して再生可能とすると共にシステム全体として、短時間で所望のコンテンツを準備可能となる。
【００５０】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５１】
本開示は、複数の動画ファイルを任意のシナリオ情報に基づいて連続して再生する画像再生装置に適用可能である。具体的には、液晶ディスプレイから構成されたサイネージシステム、ビデオウォールシステムなどに、本開示は適用可能である。
【符号の説明】
【００５２】
１００  画像再生装置
１０１、３０１  画像記憶部
１０２、３０２  画像処理部
１０３  表示部
１０４、３０４  制御部
１０５、３０３  通信部
３００  画像生成サーバ
【図１】
2018056871.tif 000003
【図２】
2018056871.tif 000004
【図３】
2018056871.tif 000005
【図４】
2018056871.tif 000006
【図５】
2018056871.tif 000007
【図６】
2018056871.tif 000008
【図７】
2018056871.tif 000009